(57)【要約】【課題】使用者が、トイレルーム内に常在する臭気を吸うことで、不快感を感じることを、効率よく抑制することができる衛生洗浄装置が提供することを目的とする。【解決装置】便汚物を受けるボウルが形成された便器の前記ボウルの表面に次亜塩素酸水を噴出するボウル噴出部と、トイレルーム内の空気を脱臭する脱臭装置と、前記ボウル噴出部からの次亜塩素酸水の噴出、及び、前記脱臭装置の駆動を制御する制御部と、を備えた衛生洗浄装置を提供する。【選択図】図２
2016094695.tif 000002
【特許請求の範囲】
【請求項１】
汚物を受けるボウルが形成された便器の前記ボウルの表面に次亜塩素酸水を噴出するボウル噴出部と、
トイレルーム内の空気を脱臭する脱臭装置と、
前記ボウル噴出部からの次亜塩素酸水の噴出、及び、前記脱臭装置の駆動を制御する制御部と、
を備えた衛生洗浄装置。
【請求項２】
前記脱臭装置は、
前記トイレルーム内の空気を吸引する送風部と、前記送風部によって吸引された前記空気が通過する脱臭フィルターと、
前記脱臭フィルターに水を供給するフィルター噴出部と、を備え、
前記制御部は、前記送風部及び前記フィルター噴出部の駆動を制御することを特徴とする請求項１記載の衛生洗浄装置。
【請求項３】
前記フィルター噴出部は、次亜塩素酸水を前記脱臭フィルターに供給することを特徴とする請求項２記載の衛生洗浄装置。
【請求項４】
前記フィルター噴出部から前記脱臭フィルターに供給される次亜塩素酸水と、前記ボウル噴出部から噴出される次亜塩素酸水とは、水を電気分解することで次亜塩素酸水が生成される同一の電解層から、生成されることを特徴とする請求項３記載の衛生洗浄装置。
【請求項５】
前記トイレルームへの使用者の入室及び退室を検知する人体検知センサを有し、
前記制御部は、
前記人体検知センサが前記使用者を検知して、その後、前記使用者を検知しなくなってから第一所定時間が経過すると、前記便器の使用後において、前記ボウル噴出部から次亜塩素酸水を噴出し、
前記人体検知センサの検知結果により、前記使用者が前記トイレルームに入室すると予測される時間帯より第二所定時間前に、前記送風部及び前記フィルター噴出部を駆動させることを特徴とする請求項２〜４のいずれか１つに記載の衛生洗浄装置。
【発明の詳細な説明】
【技術分野】
【０００１】
本発明の態様は、トイレルームに設置される衛生洗浄装置に関する。
【背景技術】
【０００２】
近年、トイレルーム内の清潔性の維持が求められており、先行文献１に開示のように、清潔性が維持される便器が、提案されている。
【０００３】
特許文献１では、使用者の便器使用後に、次亜塩素酸水を便器のボウル表面に噴出する衛生洗浄装置が記載されている。しかしながら、トイレルーム内の清潔性の維持は、便器の清潔性だけでなく、トイレルーム内の臭いの不快感を無くす事も求められている。特許文献１に記載の技術では、便器内の悪臭成分のもととなる菌の繁殖を抑えることが出来るが、トイレルーム内に常在する臭気を吸収又は分解するわけではない。よって、使用者は、トイレルームに入室する度に、トイレルーム内に常在する臭気を吸うことになるため、不快感を感じるという問題がある。
【先行技術文献】
【特許文献】
【０００４】
【特許文献１】特開２０１２−２０７４６１号公報
【発明の概要】
【発明が解決しようとする課題】
【０００５】
本発明は、かかる課題の認識に基づいてなされたものであり、使用者が、トイレルーム内に常在する臭気を吸うことで、不快感を感じることを抑制することができる衛生洗浄装置を提供することを目的とする。
【課題を解決するための手段】
【０００６】
第１の発明は、汚物を受けるボウルが形成された便器の前記ボウルの表面に次亜塩素酸水を噴出するボウル噴出部と、トイレルーム内の空気を脱臭する脱臭装置と、前記ボウル噴出部からの次亜塩素酸水の噴出、及び、前記脱臭装置の駆動を制御する制御部と、を備えた衛生洗浄装置である。
【０００７】
この衛生洗浄装置によれば、ボウル内に次亜塩素酸水を噴霧し、悪臭のもとになる菌の繁殖を抑えることで、便器から悪臭が放出されることを抑えることができ、脱臭装置により、トイレルーム内の脱臭を行うことができる。したがって、使用者が、トイレルーム内に常在する臭気を吸うことで、不快感を感じることを、効率よく抑制することができる。
【０００８】
第２の発明は、第１の発明において、前記脱臭装置は、前記トイレルーム内の空気を吸引する送風部と、前記送風部によって吸引された前記空気が通過する脱臭フィルターと、前記脱臭フィルターに水を供給するフィルター噴出部と、を備え、前記制御部は、前記送風部及び前記フィルター噴出部の駆動を制御することを特徴とする衛生洗浄装置である。
【０００９】
この衛生洗浄装置によれば、送風部によって吸引された空気に含まれた悪臭成分を、フィルター噴出部によって水が供給された脱臭フィルターによって捕集することができる。したがって、使用者が、トイレルーム内に常在する臭気を吸うことで、不快感を感じることをより抑制することができる。
【００１０】
第３の発明は、第２の発明において、前記フィルター噴出部は、次亜塩素酸水を前記脱臭フィルターに供給することを特徴とする衛生洗浄装置である。
【００１１】
この衛生洗浄装置によれば、フィルター噴出部によって脱臭フィルターに供給された次亜塩素酸水が、送風部によって送風されたトイレルーム内の空気に含まれる悪臭成分を、捕集及び分解することできる。したがって、使用者が、トイレルーム内に常在する臭気を吸うことで、不快感を感じることをさらに抑制することができる。
【００１２】
第４の発明は、第３の発明において、前記フィルター噴出部から前記脱臭フィルターに供給される次亜塩素酸水と、前記ボウル噴出部から噴出される次亜塩素酸水とは、水を電気分解することで次亜塩素酸水が生成される同一の電解層から、生成されることを特徴とする衛生洗浄装置である。
【００１３】
この衛生洗浄装置によれば、同じ電解層で、便器から悪臭が放出されることを抑えることができ、トイレルーム内の脱臭も行うことができる。そのため、衛生洗浄装置が大型化する事なく、使用者が、トイレルーム内に常在する臭気を吸うことで、不快感を感じることをより抑制することができる衛生洗浄装置を提供することができる。
【００１４】
第５の発明は、第２〜４のいずれか１つの発明において、前記トイレルームへの使用者の入室及び退室を検知する人体検知センサを有し、前記制御部は、前記人体検知センサが前記使用者を検知して、その後、前記使用者を検知しなくなってから第一所定時間が経過すると、前記便器の使用後において、前記ボウル噴出部から次亜塩素酸水を噴出し、前記人体検知センサの検知結果により、前記使用者が前記トイレルームに入室すると予測される時間帯より第二所定時間前に、前記送風部及び前記フィルター噴出部を駆動させることを特徴とする衛生洗浄装置である。
【００１５】
この衛生洗浄装置によれば、制御部は、便器使用後の悪臭のもとになる菌の繁殖を抑えることで、便器から悪臭が放出されることを抑えることができ、更に、使用者がトイレルームに入室すると予測される時間帯より第一所定時間前に、送風部を駆動させる動作を実行するため、使用者がトイレルームに入室する前に、トイレルーム内に常在する臭気を取り除くことができる。したがって、使用者が、トイレルーム内に常在する臭気を吸うことで、不快感を感じることを抑制することができる。
【発明の効果】
【００１６】
本発明の態様によれば、使用者が、トイレルーム内に常在する臭気を吸うことで、不快感を感じることを、効率よく抑制することができる衛生洗浄装置が提供される。
【図面の簡単な説明】
【００１７】
【図１】本発明の実施の形態に係る衛生洗浄装置を表す模式図である。
【図２】本発明の実施の形態に係る衛生洗浄装置及び脱臭装置を示すブロック図である。
【図３】本発明の実施の形態に係る衛生洗浄装置の動作におけるタイミングチャートである。
【発明を実施するための形態】
【００１８】
以下、本発明の実施の形態について図面を参照しつつ説明する。なお、各図面中、同様の構成要素には同一の符号を付して詳細な説明は適宜省略する。  
図１は、本発明の実施の形態に係る衛生洗浄装置を表す模式図である。  
また、図２は、本発明の実施の形態に係る衛生洗浄装置及び脱臭装置を示すブロック図である。なお、図１においては、説明の便宜上、衛生洗浄装置を表す模式図は平面模式図であり、洋式腰掛便器を表す模式図は断面模式図である。また、図２は、水路系と電気系の要部構成を併せて表している。
【００１９】
図１に表したトイレ装置１０は、洋式腰掛便器（以下説明の便宜上、単に「便器」と称する）８００と、その上に設けられた衛生洗浄装置１００と、を備える。便器８００は、ボウル８０１を有する。衛生洗浄装置１００は、ケーシング４００と、便座２００と、便蓋３００と、を有する。便座２００と便蓋３００とは、ケーシング４００に対して開閉自在にそれぞれ軸支されている。なお、便蓋３００は、必ずしも設けられていなくともよい。
【００２０】
制御部は、ＩＣ素子を含んだ制御回路であり、洗浄水供給装置１２、人体検知センサ１３、洗浄ノズル１４、脱臭装置１６、及び導光板１９の、それぞれの動作を電気的に制御する。制御部１８は、例えば、ファン４６（図２参照）を間欠駆動させる制御を実行する。この詳細については、後述する。この制御部１８は、金属製の筺体としての制御部カバー（図示せず）によって覆われている。
【００２１】
人体検知センサ１３は、ケーシング４００の外部に付設されている。人体検知センサ１３は、例えば赤外線信号を利用した焦電センサであり、トイレルームに入室した入室者を検知する。人体検知センサ１３は、例えばドップラーセンサなどのマイクロ波センサであってもよい。マイクロ波のドップラー効果を利用したセンサや、マイクロ波を送信し反射したマイクロ波の振幅（強度）に基づいて被検知体を検出するセンサなどを人体検知センサ１３として用いた場合には、トイレルームのドア越しに使用者の存在を検知することが可能となる。つまり、トイレルームに入室する前の使用者を検知することができ、使用者の退室を検知することができる。
【００２２】
例えばケーシング４００の下部には、便器８００のボウル８０１の表面に次亜塩素酸水を噴霧する噴霧ノズル（ボウル噴出部）４８０が設けられている。噴霧ノズル４８０は、ケーシング４００の内部に設けられていてもよいし、ケーシング４００の外部に付設されていてもよい。
【００２３】
洗浄ノズル１４は、ボウル８０１に向かって進出可能に設けられている。この洗浄ノズル１４については、後に詳述する。
【００２４】
脱臭装置１６は、ケーシングの内部に設けられている。図２に表した矢印Ａ１のように、脱臭装置１６は、ケーシング４００の後方面（背面）に設けられた吸気口部から、トイレルーム内の空気を吸い込む。吸気口部から吸い込まれた空気に含まれる悪臭成分は、脱臭装置１６によって捕集又は分解される。なお、本発明の一実施形態における「悪臭成分」は、アンモニア成分を含む。この悪臭成分は、尿がトイレルームの床や壁などに付着してしまった際に、付着面から発生するものである。図２に表した矢印Ａ２のように、脱臭装置１６によって悪臭成分が捕集又は分解された空気は、便器８００の正面からみて、ケーシング４００の左側に設けられた排気口部から、トイレルームへ吐き出される。この脱臭装置１６については、後に詳述する。また、排気口部２２は、ケーシング４００の側面に設けられているため、便器８００の正面からみて、ケーシング４００の前方へ空気を排出することがない。したがって、使用者に直接、排気口部２２からの空気が当たることを抑制でき、使い勝手の良い衛生洗浄装置１００を提供できる。なお、吸気口部及び排気口部２２の設置形態は、前述した例には限定されない。例えば、吸気口部は、ケーシング４００の側面に設けられていてもよい。
【００２５】
図２に示すように、洗浄水供給装置１２は、流路開閉弁２４と、瞬間加熱式の熱交換器２６と、電解槽２８と、大気解放式のバキュームブレーカー３０と、洗浄ノズル１４へ通じる第１流路３２と、脱臭装置１６へ通じる第２流路３４と、電磁ポンプ３６と、流調・流路切替弁３８と、を有する。なお、洗浄水供給装置１２は、必ずしも熱交換器２６を有していなくともよい。外部から供給された水は、流路開閉弁２４が開いたときに、熱交換器２６を通って、電解槽２８へ送られる。電解槽２８の内部には、２つの電極（図示せず）が設けられている。電解槽２８へ送られてきた水は、電解槽２８の内部において電気分解される。外部から供給されてきた水には、塩素（Ｃｌ２）が含まれているため、水が電気分解されると、以下のような式の反応が起こる。
【００２６】
【数１】
2016094695.tif 000003
（１）式に示すように、電解槽２８によって電気分解された水は、次亜塩素酸（ＨＣｌＯ）を含んだ洗浄水となる。
【００２７】
電解槽２８によって生成された次亜塩素酸水は、第１流路３２又は第２流路３４へ流れる。第１流路３２へ流れた次亜塩素酸水は、電磁ポンプ３６によって、洗浄ノズル１４へ送られる。洗浄ノズル１４は、吐水部１５（第２吐水部）を有する。例えば、吐水部１５は、おしり洗浄吐水孔１５ａと、おしりソフト吐水孔１５ｂと、ビデ洗浄吐水孔１５ｃと、ワイドビデ洗浄吐水孔１５ｄと、を有する。但し、吐水部１５が有する吐水孔は、これだけには限定されない。洗浄ノズル１４へ送られた次亜塩素酸水は、吐水部１５から上方に向かって吐出される。吐水部１５から吐出された次亜塩素酸水は、大便器２の使用者の局部洗浄などに用いられる。また、電磁ポンプ３６と洗浄ノズル１４との間には、流調・流路切替弁３８が設けられている。この流調・流路切替弁３８を動作させることで、洗浄ノズル１４から吐出する次亜塩素酸水の、吐水流量、吐水角度、吐水範囲などを変更できる。また、流調・流路切替弁３８を動作させることで、次亜塩素酸水をノズル洗浄室（胴体洗浄部）４０に送ることができる。ノズル洗浄室４０は、吐水部４１（第２吐水部）を有する。ノズル洗浄室４０は、吐水部４１から次亜塩素酸水が吐出することで、洗浄ノズル１４の外面の洗浄、即ち胴体洗浄を行う。第２流路３４へ流れた次亜塩素酸水は、脱臭装置１６へ送られる。
【００２８】
図２に示すように、脱臭装置１６は、集塵フィルター４４と、ファン（送風部）４６と、脱臭フィルター４８と、フィルター噴出部５０と、水受け部５２と、を有している。水受け部５２は、吸気口４２と、排気口５４と、を有する。吸気口４２は、吸気口部２１に設置されている。排気口５４は、排気口部２２に設置されている。ファン４６は、例えば樹脂製のシロッコファンである。ファン４６は、内部に設けられた複数の羽が回転することで、吸気口４２からトイレルーム内の空気を吸い込み、排気口５４からトイレルームへ、吸い込んだ空気を吐き出す。なお、ファン４６は、シロッコファンには限定されない。
【００２９】
集塵フィルター４４は、吸気口４２の部分に設置されている。この集塵フィルター４４は、吸い込まれる空気の中の塵や埃などが、ファン４６へ送られることを防ぐ。脱臭フィルター４８は、例えば編目形状のステンレス製の部材である。後述するように、フィルター噴出部５０によって、次亜塩素酸水が脱臭フィルター４８に噴霧される。この脱臭フィルター４８は、ファン４６と排気口５４との間、即ちファン４６の下流側に設けられている。言い換えれば、ファン４６は、フィルター噴出部５０によって次亜塩素酸水が噴霧された脱臭フィルター４８よりも上流側に設置される。そのため、湿気を含んだ空気が脱臭フィルター４８から電気機器のファン４６へ送られることがない。よって、湿気により、ファン４６が故障することを防ぐことができる。また、ファン４６から排出された空気は、脱臭フィルター４８を通過する。そのため、ファン４６が作動する前に衛生洗浄装置１００の内部に溜まった空気は、必ず脱臭フィルター４８を通過し、悪臭成分が捕集された後にトイレルームへ排出されることとなる。よって、ファン４６を作動させた際に、衛生洗浄装置１００の内部に溜まった空気が悪臭成分を捕集又は分解されずにトイレルームへ排出されることを防ぐことができる。さらに、脱臭フィルター４８は、使用者の操作によって、排気口５４から自由に取り出し可能とされている。このことより、脱臭フィルター４８の清掃性が向上する。フィルター噴出部５０は、電磁弁を有し、脱臭フィルター４８より上方に位置する。一方、第２流路３４へ流れた次亜塩素酸水は、フィルター噴出部５０へ送られる。
【００３０】
脱臭フィルター４８に向けて次亜塩素酸水が噴霧されると、脱臭フィルター４８は次亜塩素酸水を保水する。その際に、ファン４６を作動させ、吸気口４２から吸引されたトイレルーム内の空気が、脱臭フィルター４８内を通過すると、空気の中に含まれる悪臭成分が機能水に取り込まれる。機能水に取り込まれた悪臭成分は、次亜塩素酸によって、以下の式のように分解される。
【００３１】
【数２】
2016094695.tif 000004
（２）式に示すように、アンモニア（ＮＨ３）は、次亜塩素酸（ＨＣｌＯ）と反応することで、モノクロラミン（ＮＨ２Ｃｌ）と水（Ｈ２Ｏ）に変わる。モノクロラミンの臭いは、塩素と同じカルキ臭である。この臭いによって、使用者は清潔感を感じることができる。また、分解されずに残った悪臭成分も、次亜塩素酸水内に捕集されるため、空気へ戻ることはない。その結果、脱臭フィルター４８内を通過した空気は、悪臭成分が取り除かれる。悪臭成分が取り除かれた空気は、排気口５４からトイレルームへ排出される。このように、脱臭装置１６は、トイレルーム内に常在する悪臭成分を捕集又は分解することができる。よって、使用者は、トイレルームに入室する度に、トイレルーム内に常在する悪臭成分による臭気を吸うことがなくなり、快適にトイレを利用できる。
実施形態の悪臭成分の発生源は、トイレルームの床や壁などに付着した尿であり、便器８００のボウル８０１の悪臭成分の発生源とは異なる。そのため、脱臭装置１６の吸気口４２がケースカバー１０の側面または後方面に設けられた吸気口部２１に設置されると、脱臭装置１６は、脱臭を行いやすい。
【００３２】
図２に示すように、洗浄水供給装置１２の流調・流路切替弁３８から分岐して噴霧ノズル４８０に、水道や貯水タンクなどの給水源から供給された水、又は、電解槽２８で生成された次亜塩素酸水を導く流路を備えている。本実施形態にかかる衛生洗浄装置４００では、人体検知センサ１３がトイレルームへの使用者の入室を検知すると、制御部は、噴霧ノズル４８０から便器８００のボウル８０１の表面に水滴を噴霧させる制御を実行する。つまり、制御部は、使用者が便器８００を使用する前に便器８００のボウル８０１の表面を水滴で濡らす制御を実行することができる。これにより、ボウル８０１の表面に付着する汚物を軽減させることができる。
【００３３】
本実施形態にかかる衛生洗浄装置４００では、人体検知センサ１３がトイレルーム内の使用者を検知しなくなってから第一所定時間（例えば、９０秒後）が経過すると、制御部は、噴霧ノズル４８０から便器８００のボウル８０１の表面に殺菌水を噴霧させる制御を実行できる。つまり、制御部は、使用者が汚物を流し便器８００の使用を終了した後にボウル８０１の表面を次亜塩素酸水で濡らす制御を実行することができる。このときには、噴霧ノズル４８０が噴霧した次亜塩素酸水は、使用者が便器８００を使用する前に噴霧される場合よりも長い時間ボウル８０１の表面に留まることができる。そのため、ボウル８０１の表面の殺菌をさらに効率的に行うことができる。また、ボウル８０１に次亜塩素酸を噴霧し、悪臭のもとになる菌の繁殖を抑えることで、便器８００から悪臭が放出されることを抑えることができる。そのため、脱臭装置の、トイレルーム内の脱臭と、便器８００から悪臭が放出されることを抑えることで、使用者が、トイレルーム内に常在する臭気を吸うことで、不快感を感じることを、効率よく抑制することができる。
【００３４】
また、本実施形態にかかる衛生洗浄装置４００では、フィルター噴出部５０から脱臭フィルター４８に供給される次亜塩素酸水と、噴霧ノズル４８０から噴出される次亜塩素酸水とは、水を電気分解することで次亜塩素酸水が生成される同一の電解層２８から、生成されている。そのため、、同一の電解層２８で、便器８００から悪臭が放出されることを抑えることができ、トイレルーム内の脱臭も行うことができる。そのため、衛生洗浄装置４００が大型化する事なく、使用者が、トイレルーム内に常在する臭気を吸うことで、不快感を感じることをより抑制することができる衛生洗浄装置４００を提供することができる。
【００３５】
図３は、本発明の実施の形態に係る衛生洗浄装置の動作におけるタイミングチャートである。図３で示すにおいきれいとは、脱臭装置１６の制御を意味する。図３で示す便器きれいとは、前述の噴霧ノズル４８０から便器８００のボウル８０１の表面に水又は次亜塩素酸水の水滴を噴霧させる制御を意味する。
【００３６】
次に、脱臭装置１６における駆動動作を含めた衛生洗浄装置の動作について説明する。
制御部は、例えば８日間、例えば４５分を１ユニットとし、１ユニット毎に、人体検知センサ１３による人体検知の有無を記憶する。制御部は、この８日間のうち、同じ時間帯で、且つ、例えば９０分間（２ユニット分）に、人体検知センサ１３による人体検知が行われたユニット数をカウントする。この９０分間に、カウントされたユニット数が、例えば３（所定頻度）以下であった場合、制御部は、「トイレルームは非入室時間帯である」と判断する。また、この９０分間に、カウントされたユニット数が、例えば４以上であった場合、制御部は、「トイレルーム１００は入室時間帯である」と判断する。なお、所定頻度は、ユニット数「３」には限定されない。
【００３７】
時間帯が非入室時間帯から入室時間帯に切り替わる、例えば６７．５分前（第二所定時間）に、噴出部５０は、脱臭フィルター４８に次亜塩素酸水を噴霧する（図３における給水ＯＮ）。言い換えれば、非入室時間帯（図３における使わない時間帯）のうちで、入室時間帯（よく使う時間帯）に切り替わる例えば６７．５分前から入室時間帯に切り替わる時までの間の時間帯以外の非入室時間帯では、制御部は、噴出部５０からの噴霧を停止させる制御を実行する。噴出部５０での、脱臭フィルター４８に次亜塩素酸水の噴霧が終了すると同時に、制御部は、ファン４６を駆動（図３におけるファンＯＮ）させ、脱臭動作を開始させる。駆動させたファン４６は、駆動させた後、約９０分間駆動させる。このことより、使用者がトイレルームに入室する前に、トイレルーム内に常在する臭気を取り除くことができる。したがって、使用者が、トイレルーム内に常在する臭気を吸うことで、不快感を感じることを抑制することができる。このとき、ファン４６は、所定の風量で、トイレルーム１００の空気を吸引する。
【００３８】
また、衛生洗浄装置４００は、脱臭装置が駆動している事を、使用者に知らせるＬＥＤ（図示しない）を備えており、人体検知センサ１３によりトイレルーム内の使用者の入室を検知すると同時に、ＬＥＤを点灯（ＬＥＤのＯＮ）させる制御を実行する。
【００３９】
図３に示すように、人体検知センサ１３がトイレルームへの使用者の入室を検知すると、制御部は、噴霧ノズル４８０から便器８００のボウル８０１の表面に水滴を噴霧させる制御を実行する。更に、人体検知センサ１３がトイレルーム内の使用者を検知しなくなってから第一所定時間（例えば、９０秒後）が経過すると、制御部は、噴霧ノズル４８０から便器８００のボウル８０１の表面に殺菌水を噴霧させる制御を実行する。
【００４０】
前述したように、本実施形態に係る衛生洗浄装置４００は、トイレルームへの使用者の入室及び退室を検知する人体検知センサを有し、制御部は、人体検知センサが使用者を検知して、その後、前記使用者を検知しなくなってから第一所定時間が経過すると、便器の使用後において、ボウル噴出部から次亜塩素酸水を噴出し、人体検知センサの検知結果により、使用者が前記トイレルームに入室すると予測される時間帯より第二所定時間前に、送風部及びフィルター噴出部を駆動させている。そのため、制御部は、便器使用後の悪臭のもとになる菌の繁殖を抑えることで、便器から悪臭が放出されることを抑えることができ、更に、使用者がトイレルームに入室すると予測される時間帯より第一所定時間前に、送風部を駆動させる動作を実行するため、使用者がトイレルームに入室する前に、トイレルーム内に常在する臭気を取り除くことができる。したがって、使用者が、トイレルーム内に常在する臭気を吸うことで、不快感を感じることを抑制することができる。
【００４１】
前述の実施の形態に関して、当業者が適宜設計変更を加えたものも、本発明の特徴を備えている限り、本発明の範囲に包含される。例えば、衛生洗浄装置１などが備える各要素の形状、寸法、材質、配置などや衛生洗浄装置１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される
【符号の説明】
【００４２】
１０ トイレ装置、  １００ 衛生洗浄装置、  ２００ 便座、  ３００ 便蓋、  ４００ ケーシング、  ４８０ 噴霧ノズル、  ８００ 便器、  ８０１ ボウル、  １２ 洗浄水供給装置、１３ 人体検知センサ、１４ 洗浄ノズル、１５、４１ 吐水部（第２吐水部）、 １５ａ 洗浄吐水孔、１５ｂ ソフト吐水孔、１５ｃ ビデ洗浄吐水孔、１５ｄ ワイドビデ洗浄吐水孔、１６ 脱臭装置、２４ 流調・流路開閉弁、２６ 熱交換器、２８ 電解槽、 ３０ バキュームブレーカー、３２ 第１流路、３４ 第２流路、３６ 電磁ポンプ、３８ 流路切替弁、４０ ノズル洗浄室（胴体洗浄部）、４４ 集塵フィルター、４６ ファン（送風部）、４８ 脱臭フィルター、５０ フィルター噴出部、５２ 水受け部
【図１】
2016094695.tif 000005
【図２】
2016094695.tif 000006
【図３】
2016094695.tif 000007